(57)【要約】      （修正有）【課題】自転車用フェンダー取り付け装置の提供。【解決手段】自転車の前フォーク、後ろフォーク部分に設置可能で、クイック着脱機能を具えたフェンダー取り付け装置であり、それは、フェンダー２１の一端に設けられた溝座２１０を具え、該溝座に自転車に固定された固定片２２が挿入され、該溝座に貫通孔２１４が設けられて、クイック着脱装置のプルロッドが通され、該プルロッドの上方に偏心ハンドル２４が枢結され、該貫通孔の縁の横に少なくとも一つの第１ラック２１２が設けられ、該固定片の底面に設けられた少なくとも一つの第２ラック２２２と噛み合い、これにより止滑及び間隙調整が達成される。【選択図】図３
0003109448.tif 000002
【実用新案登録請求の範囲】
【請求項１】
フェンダー、固定片、クイック着脱装置を具え、
該フェンダーは、その一端に溝座が設けられ、該溝座の中心部分に貫通孔が設けられ、該貫通孔の側縁に少なくとも一つの第１ラックが設けられ、
該固定片は、その一端の底面に該フェンダーの溝座の第１ラックに対応し噛み合う第２ラックが設けられ、該固定片の別端が自転車の前フォーク、後ろフォークに固定され、
該クイック着脱装置は、プルロッドと偏心ハンドルで構成され、該偏心ハンドルの本体が偏心カムの形態とされ、該偏心ハンドルの回転による締めつけにより、フェンダーの溝座と固定片の一端が結合固定されることを特徴とする、自転車用フェンダー取り付け装置。
【請求項２】
請求項１記載の自転車用フェンダー取り付け装置において、フェンダーの溝座の後側に二つの貫通溝が設けられて該貫通溝に固定片が挿入されることを特徴とする、自転車用フェンダー取り付け装置。
【請求項３】
請求項１記載の自転車用フェンダー取り付け装置において、フェンダーの溝座の底面に収容室が設けられたことを特徴とする、自転車用フェンダー取り付け装置。
【請求項４】
フェンダー、固定片、クイック着脱装置を具え、
該フェンダーは、その一端に二つの対応する枢設座が設けられ、二つの枢設座の間に少なくとも一つの第１ラックが設けられ、
該固定片は、その一端の底面にフェンダーの第１ラックに対応し噛み合う第２ラックが設けられ、該固定片の別端が自転車の前フォーク、後ろフォークに固定され、
該クイック着脱装置は、偏心ハンドルを具え、該偏心ハンドルの本体が該二つの枢設座に固定され、該偏心ハンドルの本体が偏心カムの形態を具え、該偏心ハンドルの回転による締めつけにより、フェンダーの一端が固定片の一端と結合固定されることを特徴とする、自転車用フェンダー取り付け装置。
【考案の詳細な説明】
【技術分野】
【０００１】
本考案は一種の自転車用フェンダー取り付け装置に係り、特に、自転車の前フォーク、後ろフォークに取り付けられて、クイック着脱機能を具えたフェンダー取り付け構造に関する。
【背景技術】
【０００２】
周知のフェンダー１１の自転車のフレーム１５への取り付け方式は、略Ｌ形を呈する固定片１２を利用し、その一端がボルト１３でフレーム１５に固定され、別端にボルト１４でフェンダー１１が固定される、というものである。このような周知のフェンダー取り付け方式には以下のような欠点がある。
１．フェンダーを自転車のフレームに螺子止めするのに工具が必要であり、クイック着脱機能を具備せず、且つボルトによる固定に依存しており、自転車の走行中の振動により弛み、フェンダーの脱落を形成しうる。
２．各種の自転車の輪径はそれぞれ異なり、このような固定構造はフェンダーを自転車に固定する機能しか具備せず、間隙調整が行なえず、ゆえに異なる輪径に合わせて取り付けることができない。
【考案の開示】
【考案が解決しようとする課題】
【０００３】
本考案の目的は周知のフェンダー固定装置の欠点に対して、クイック着脱と間隙調整の機能を具え、各種の自転車に適用可能な自転車用フェンダー取り付け装置を提供することにある。それは、フェンダーの一端に溝座が設けられて固定片の設置に供され、該固定片が自転車の前フォーク、後ろフォーク部分に固定され、該溝座に貫通孔が設けられてクイック着脱装置のプルロッドが通され、プルロッドの上方に偏心ハンドルが枢結され、該貫通孔の側縁に少なくとも一つの第１ラックが設けられて、固定片の底面に設けられた少なくとも一つの第２ラックと噛み合い、第１ラックと第２ラックの噛み合いによる位置決めにより止滑、間隙調整の機能を達成し、並びにフェンダーと固定片が結合される。
【課題を解決するための手段】
【０００４】
請求項１の考案は、フェンダー、固定片、クイック着脱装置を具え、
該フェンダーは、その一端に溝座が設けられ、該溝座の中心部分に貫通孔が設けられ、該貫通孔の側縁に少なくとも一つの第１ラックが設けられ、
該固定片は、その一端の底面に該フェンダーの溝座の第１ラックに対応し噛み合う第２ラックが設けられ、該固定片の別端が自転車の前フォーク、後ろフォークに固定され、
該クイック着脱装置は、プルロッドと偏心ハンドルで構成され、該偏心ハンドルの本体が偏心カムの形態とされ、該偏心ハンドルの回転による締めつけにより、フェンダーの溝座と固定片の一端が結合固定されることを特徴とする、自転車用フェンダー取り付け装置としている。
請求項２の考案は、請求項１記載の自転車用フェンダー取り付け装置において、フェンダーの溝座の後側に二つの貫通溝が設けられて該貫通溝に固定片が挿入されることを特徴とする、自転車用フェンダー取り付け装置としている。
請求項３の考案は、請求項１記載の自転車用フェンダー取り付け装置において、フェンダーの溝座の底面に収容室が設けられたことを特徴とする、自転車用フェンダー取り付け装置としている。
請求項４の考案は、フェンダー、固定片、クイック着脱装置を具え、
該フェンダーは、その一端に二つの対応する枢設座が設けられ、二つの枢設座の間に少なくとも一つの第１ラックが設けられ、
該固定片は、その一端の底面にフェンダーの第１ラックに対応し噛み合う第２ラックが設けられ、該固定片の別端が自転車の前フォーク、後ろフォークに固定され、
該クイック着脱装置は、偏心ハンドルを具え、該偏心ハンドルの本体が該二つの枢設座に固定され、該偏心ハンドルの本体が偏心カムの形態を具え、該偏心ハンドルの回転による締めつけにより、フェンダーの一端が固定片の一端と結合固定されることを特徴とする、自転車用フェンダー取り付け装置としている。
【考案の効果】
【０００５】
本考案はクイック着脱と間隙調整の機能を具え、各種の自転車に適用可能な自転車用フェンダー取り付け装置を提供している。
【考案を実施するための最良の形態】
【０００６】
図２、３、４に示されるように、本考案のフェンダー２１の一端は、クイック着脱装置Ａのプルロッド２３が挿入されて偏心ハンドル２４で緊密に締めつけられ、固定片２２は自転車の後ろフォーク３１に固定される。
【０００７】
該フェンダー２１は、その一端に溝座２１０が設けられ、その中心部分に貫通孔２１１が設けられ、該貫通孔２１１の側縁に少なくとも一つの第１ラック２１２が設けられ、該溝座２１０の底面に収容室２１３が設けられ、また、後側に二つの貫通溝２１４が開設されている。
【０００８】
該固定片２２は、Ｌ形板体とされ、その一端は自転車の後ろフォーク３１に固定され、もう一端に切溝２２１が設けられてプルロッド２３が通され、並びにフェンダー２１の貫通溝２１４部分に挿入され、該切溝２２１の底面側縁に少なくとも一つの第２ラック２２２が設けられ、該第２ラック２２２はフェンダー２１の第１ラック２１２と相互に噛み合う。
【０００９】
該クイック着脱装置Ａは、プルロッド２３と偏心ハンドル２４で構成され、そのうち、該プルロッド２３は該フェンダー２１の貫通孔２１１に通され、その一端にストッパヘッド２３１を具えてフェンダー２１の収容室２１３内に設置され、もう一端に貫通孔２３２が設けられている。
【００１０】
該偏心ハンドル２４は該プルロッド２３の一端に枢設され、その本体は偏心カム２４４の形態を具え、その枢設端に切溝２４１と貫通孔２４２が設けられてプルロッド２３と組み合わされた後、ピン２４３が通されてプルロッド２３と相互に枢設される。
【００１１】
上述の構造により、操作時に、固定片２２がフェンダー２１の溝座２１０内に置かれ、該固定片２２が貫通溝２１４に挿入されてその支持力が増され、この時、該第１ラック２１２と第２ラック２２２が噛み合い状態を呈する。更にクイック着脱装置Ａの偏心ハンドル２４が水平方向に回され、この時、プルロッド２３が上向きに引き起こされて、偏心ハンドル２４及びストッパヘッド２３１の間距を短縮し、固定片２２とフェンダー２１が相互に圧接する。偏心ハンドル２４の発生する外向きの推力が、第１ラック２１２と第２ラック２２２の係合によりその噛み合い点にかかり、スライドの発生が防止され、フェンダー２１と固定片２２の接合位置が改変せず、ゆえにその支持強度に影響が生じない（図５、６、７参照）。
【００１２】
更に、各種自転車の輪径サイズに合わせ、フェンダー２１は適当に調整でき、すなわち、フェンダー２１の第１ラック２１２と固定片２２の第２ラック２２２を必要により前後に位置調整し、更に偏心ハンドル２４を下向きに回して締めつければ、間距調整の操作を達成できる（図８参照）。
【００１３】
本考案はまた自転車の前フォーク３２部分に取り付け可能であり、組合せ完成した自転車用フェンダー取り付け装置２を自転車の前フォーク３２の底部に固定すればよく、こうして前フォークと後ろフォーク３１のいずれにも適用可能な機能を達成する（図９参照）。
【００１４】
図１０、１１に示されるのは本考案の別の実施例であり、そのフェンダー取り付け装置４はフェンダー４１の一端上方に第１ラック４１１が設けられ、該第１ラック４１１が固定片４２の一端底部の第２ラック４２１との噛み合いに供され、該第１ラック４１１の両側に二つの対応する枢設座４１２が設けられ、該枢設座４１２に枢結孔４１３が設けられ、クイック着脱装置Ａ’の偏心ハンドル４３の枢設に供され、該偏心ハンドル２４はその本体が偏心カム４３２の形態とされ、それに穿孔４３１が設けられ、ピン４４が通されて該偏心ハンドル４３と枢設座４１２が相互に枢設されている。フェンダー４１を取り付ける時は、固定片４２の第２ラック４２１をフェンダー４１の第１ラック４１１にかみ合わせ、更に偏心ハンドル４３を回してその偏心カム４３２外周で固定片４２の上方を圧迫すれば、それを相互に圧接させて取り付けが完成する。反対に、フェンダー４１を取り外す時は、反対方向に偏心ハンドル４３を回してその偏心カム４３２の外周と固定片４２の間に間隙を発生させればフェンダー４１を取り外すことができる。
【図面の簡単な説明】
【００１５】
【図１】周知のフェンダー固定装置の断面図である。
【図２】本考案の後ろフォークに実施の立体図である。
【図３】本考案の立体分解図である。
【図４】本考案のフェンダーの底面局部表示図である。
【図５】本考案の断面操作表示図（一）である。
【図６】本考案の断面操作表示図（二）である。
【図７】本考案の第１ラックと第２ラックの噛み合いの断面図である。
【図８】本考案の調整操作表示図である。
【図９】本考案の前フォークに実施の立体図である。
【図１０】本考案の別の実施例の立体分解図である。
【図１１】本考案の別の実施例の組合せ断面図である。
【符号の説明】
【００１６】
２  フェンダー取り付け装置
２１  フェンダー                  ２１０  溝座
２１１  貫通孔                    ２１２  第１ラック
２１３  収容室                    ２１４  貫通溝
２２  固定片                      ２２１  切溝
２２２  第２ラック                ２３  プルロッド
２３１  ストッパヘッド            ２３２  穿孔
２４  偏心ハンドル                ２４１  切溝
２４２  貫通孔                    ２４３  ピン
２４４  偏心カム                  ３１  後ろフォーク
３２  前フォーク
４  フェンダー取り付け装置        ４１  フェンダー
４１１  第１ラック                ４１２  枢設座
４１３  枢結孔                    ４２  固定片
４２１  第２ラック                ４３  偏心ハンドル
４３１  穿孔                      ４３２  偏心カム
４４  ピン                        Ａ、Ａ’  クイック着脱装置
【図１】
0003109448.tif 000003
【図２】
0003109448.tif 000004
【図３】
0003109448.tif 000005
【図４】
0003109448.tif 000006
【図５】
0003109448.tif 000007
【図６】
0003109448.tif 000008
【図７】
0003109448.tif 000009
【図８】
0003109448.tif 000010
【図９】
0003109448.tif 000011
【図１０】
0003109448.tif 000012
【図１１】
0003109448.tif 000013